(57)【要約】  放送ユニット（３）の位置特定サービスの実施のため、ローカル・セル・エリアを定義するセル・データを放送ユニット（３）を介して移動受信装置（１）に送信すべく、位置特定サービス用の仮想セル（２２、２３、２４）が設定される。セル・データは移動受信装置（１）に格納される。移動受信装置（１）は現在位置（２５）を確立し、セル・エリア内に位置するか判断する。セル・エリア内に位置する場合、セル・データに割り当てられたサービスが実施される。放送ユニット（３）のサービス・エリア（２）の多数の移動受信装置（１）内の放送ユニット（３）による位置特定サービスのためにセル（２２、２３、２４）を設定することで、サービス・エリア（２）内及び外の地理的領域は、必要性および／または地理的なかつ／またはサービス特定のパラメータに従い動的で最適な方法で、より小さい対話型の仮想のサービス・セルおよびセル・クラスタに分割できる。
2008538171.tif 000002
【特許請求の範囲】
【請求項１】
放送ユニット（３）の位置特定サービスを実施する方法であって、
地域セル・エリアを定義するセル・エリア・データを備えたセル・データを前記放送ユニット（３）によって移動受信装置（１）に放送ベースで転送すること、
前記セル・エリア・データを備えた前記セル・データを前記移動受信装置（１）内に格納すること（Ｓ４）、
前記移動受信装置（１）内で前記移動受信装置（１）の現在位置（２５）を決定すること（Ｓ７）、
前記移動受信装置（１）によって、現在の地理的位置（２５）が、前記セル・エリア・データによって定義された前記セル・エリア内に位置するかどうか判断することによって、前記セル・エリア内の前記移動受信装置（１）の現在の存在を決定すること（Ｓ８）、および
前記セル・エリア内の前記移動受信装置（１）の存在が肯定的に判断される場合には、前記移動受信装置（１）内で、前記セル・データに割り当てられたサービスを実施すること（Ｓ９）、
によって、前記位置特定サービスのためのセル（２２、２３、２４）を設定することを含む方法。
【請求項２】
前記位置特定サービスが、前記放送ユニット（３）から前記移動受信装置（１）へのデータ転送を含み、前記セル・エリア内の前記移動受信装置（１）の存在が肯定的に判断される場合には、前記セル・データに割り当てられた、受信されたデータが、前記移動受信装置（１）によって受け付けられ、処理されることを特徴とする請求項１に記載の方法。
【請求項３】
前記放送ユニット（３）が、前記セル・データにユーザ・データを割り当て、前記ユーザ・データを前記セル・データとともに前記移動受信装置（１）に転送することを特徴とする請求項１または２に記載の方法。
【請求項４】
前記セル・データがセル識別を含み、前記放送ユニット（３）が前記セル・データとは別個に、ユーザ・データを前記セル識別とともに前記移動受信装置（１）に送信し、前記移動受信装置（１）が前記セル識別に基づいて、前記格納されたセル・データに前記ユーザ・データを割り当てる請求項１乃至３のいずれか１項に記載の方法。
【請求項５】
前記セル・データが指示を含むこと、および前記セル・エリア内の前記移動受信装置（１）の存在が肯定的に判断される場合には、前記指示が前記移動受信装置（１）内で実行されることを特徴とする請求項１乃至４のいずれか１項に記載の方法。
【請求項６】
前記セル・データがセル・タイプを含み、前記セル・データに割り当てられた、受信されたデータが、前記セル・タイプに応じて前記移動受信装置（１）内でさらに処理されることを特徴とする請求項１乃至５のいずれか１項に記載の方法。
【請求項７】
前記セル・タイプが、アラームについてのアラーム・タイプからの少なくとも１つの値と、様々なカテゴリの情報データについての情報タイプと、実行可能なアプリケーションについてのアプリケーション・タイプと、ハイパーリンクについてのリンク・タイプとを含むことを特徴とする請求項６に記載の方法。
【請求項８】
前記移動受信装置（１）が前記ユーザからセル・タイプ選択のための選択コマンドを受け付け、選択されたセル・タイプを有するセル・エリア内の前記移動受信装置（１）の存在が肯定的に判断される場合には、前記セル・データに割り当てられた前記サービスが前記移動受信装置（１）内で実施されることを特徴とする請求項６または７に記載の方法。
【請求項９】
前記セル・データが３次元の地域セル・エリアを定義し、前記移動受信装置（１）の現在の３次元位置が決定され、前記３次元の地域セル・エリア内の前記移動受信装置（１）の現在の存在が、現在の３次元位置に基づいて決定されることを特徴とする請求項１乃至８のいずれか１項に記載の方法。
【請求項１０】
前記セル・データが、前記地域セル・エリアの時間的な有効性を定義する有効性データを含み、前記有効性データが、前記セル・エリアの即時のアクティブ化のための開始指示、前記セル・エリアの即時の非アクティブ化のための停止指示、時間窓の定義のための開始時間値と停止時間値、および時間窓の定義のための開始時間値と継続時間からの少なくとも１つを含むことを特徴とする請求項１乃至９のいずれか１項に記載の方法。
【請求項１１】
前記セル・データが、複数の地域セル・エリアのクラスタを定義することを特徴とする請求項１乃至１０のいずれか１項に記載の方法。
【請求項１２】
移動受信装置（１）への放送ベースのデータ転送のために設定される放送ユニット（３）であって、
地域セル・エリアを定義するセル・エリア・データを備えたセル・データを前記移動受信装置（１）に転送するためのセル決定モジュール（６１）を含む放送ユニット。
【請求項１３】
ユーザ・データを前記セル・データとともに前記移動受信装置（１）に転送するように設定されることを特徴とする請求項１２に記載の放送ユニット（３）。
【請求項１４】
前記セル・データにセル識別を挿入し、前記セル・データとは別個に、ユーザ・データをセル識別とともに前記移動受信装置（１）に転送するように設定されることを特徴とする請求項１２または１３のいずれか１項に記載の放送ユニット（３）。
【請求項１５】
放送ユニット（３）によって放送ベースの方法で送信されたデータを受信するように設定された移動受信装置（１）であって、
地域セル・エリアを定義し、前記放送ユニット（３）によって放送ベースの方法で送信されるセル・エリア・データを備えたセル・データを受け付けて格納するためのセル決定モジュール（１２）と、
移動受信装置（１）の現在の地理的位置を決定するための位置決定モジュール（１３）と、
前記現在の地理的位置（２５）が、前記セル・エリア・データによって定義された前記セル・エリアに位置するかどうか判断することによって、前記セル・エリア内の前記移動受信装置（１）の現在の存在を決定するための存在決定モジュール（１４）と、
前記セル・エリア内の前記移動受信装置（１）の存在が肯定的に判断される場合には、前記移動受信装置（１）内で、前記セル・データに割り当てられたサービスを実施するためのサービス・モジュール（１５）とを含む移動受信装置（１）。
【請求項１６】
前記セル・エリアの前記移動受信装置（１）の存在が肯定的に判断される場合には、前記サービス・モジュール（１５）が、前記セル・データに割り当てられた、受信されたデータを受け付け、処理するように設定されることを特徴とする請求項１５に記載の移動受信装置（１）。
【請求項１７】
前記セル・データがセル識別を含み、前記セル決定モジュール（１２）が、前記セル・データを前記移動受信装置（１）内に格納するように設定され、前記サービス・モジュール（１５）が、前記放送ユニット（３）によって前記データと一緒に転送されたセル識別に基づいて、受信されたデータを前記格納されたセル・データに割り当てるように設定されることを特徴とする請求項１５または１６のいずれか１項に記載の移動受信装置（１）。
【請求項１８】
前記セル・データが指示を含み、前記セル・エリアの前記移動受信装置（１）の存在が肯定的に判断される場合には、前記サービス・モジュール（１５）が前記指示を実行するように設定されることを特徴とする請求項１５乃至１７のいずれか１項に記載の移動受信装置（１）。
【請求項１９】
前記セル・データがセル・タイプを含み、前記サービス・モジュール（１５）が前記セル・タイプに応じて、受信されたデータを処理するように設定されることを特徴とする請求項１５乃至１８のいずれか１項に記載の移動受信装置（１）。
【請求項２０】
移動受信装置（１）が、前記ユーザからのセル・タイプ選択のための選択コマンドを受け付けるように設定された選択モジュール（１６）を含み、選択されたセル・タイプを有するセル・エリア内の前記移動受信装置（１）の存在が肯定的に判断される場合には、前記サービス・モジュール（１５）が、前記セル・データに割り当てられた前記サービスを実施するように設定されることを特徴とする請求項１５乃至１９のいずれか１項に記載の移動受信装置（１）。
【請求項２１】
前記セル・データが３次元の地域セル・エリアを定義し、前記位置決定モジュール（１３）が、前記移動受信装置（１）の現在の３次元位置を決定するように設定され、前記存在決定モジュール（１４）が、前記現在の３次元位置に基づいて前記３次元地域セル・エリア内の前記移動受信装置（１）の現在の存在を決定するように設定されることを特徴とする請求項１５乃至２０のいずれか１項に記載の移動受信装置（１）。
【請求項２２】
移動受信装置（１）の１つまたは複数のプロセッサを制御するコンピュータ・プログラム・コード手段を含むコンピュータ・プログラム製品であって、
前記移動受信装置（１）が、
前記放送ユニット（３）によって放送ベースの方法で送信され、また地域セル・エリアを定義するセル・エリア・データを含むセル・データを受信し格納し
前記現在の地理的領域（２５）が、前記セル・エリア・データによって定義された前記セル・エリア内に位置するかどうか判断することによって、前記セル・エリア内の前記移動受信装置（１）の現在位置を決定し、
前記セル・エリア内の前記移動受信装置（１）が肯定的に判断される場合には、前記セル・データに割り当てられたサービスを実施するように、
前記移動受信装置（１）が、放送ユニット（３）によって放送ベースの方法で送信されたデータを受信し、前記移動受信装置（１）の現在の地理的位置を決定するように設定される、コンピュータ・プログラム製品。
【発明の詳細な説明】
【技術分野】
【０００１】
本発明は、位置特定サービスを実施するための方法、この目的に適した放送ユニット（ｂｒｏａｄｃａｓｔｉｎｇ  ｕｎｉｔ）、およびこの目的に適した移動受信装置に関する。本発明は、詳細には、放送ユニットの位置特定サービスを実施するための方法、放送ユニット、その現在位置を確立するように設定された移動受信装置、および移動受信装置を制御するためのコンピュータ・プログラム製品に関する。詳細には、本発明は、放送ユニットの位置特定サービス用のセルを設定するための方法、および関連する適切な装置に関する。
【背景技術】
【０００２】
位置特定サービス（位置ベースのサービスとも呼ばれる）は具体的には、移動受信装置がその現在の地理的位置に応じて様々なサービスおよび／または情報の供給を受けるような、移動通信において知られている。知られている位置特定サービスは、幅広いサービスおよび機構、たとえばＥＯＴＤ（Ｅｎｈａｎｃｅｄ  Ｏｂｓｅｒｖｅｄ  Ｔｉｍｅ  Ｄｉｆｆｅｒｅｎｃｅ：拡張型観測時間差）、ＦＯＴＡ（（Ｆｏｒｃｅｄ  Ｔｉｍｉｎｇ  Ａｄｖａｎｃｅ：強制タイミング前進）、ＴＡ（Ｔｉｍｉｎｇ  Ａｄｖａｎｃｅ：タイミング前進）、ＴＤＭＡ（Ｔｉｍｅ  Ｄｉｖｉｓｉｏｎ  Ｍｕｌｔｉｐｌｅ  Ａｃｃｅｓｓ：時間分割多重アクセス）、ＴＤＯＡ（Ｔｉｍｅ  Ｄｉｆｆｅｒｅｎｃｅ  Ｏｎ  Ａｒｒｉｖａｌ：到着時間差）、ＴＯＡ（（Ｔｉｍｅ  Ｏｎ  Ａｒｒｉｖａｌ：到着時間）を使用して実施される。ＧＰＳ（Ｇｌｏｂａｌ  Ｐｏｓｉｔｉｏｎｉｎｇ  Ｓｙｓｔｅｍ：全地球測位システム）やガリレオ（Ｇａｌｉｌｅｏ）などの衛星ベースの位置システムが、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ：移動通信用グローバル・システム）またはＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ユニバーサル移動通信システム）などの通信システムと組み合わされる組合せシステムもまた、位置特定サービス実施のための周波数の増加に伴って使用される。
【０００３】
放送システムからの位置特定サービスのためのシステムについて、特許出願第ＷＯ０１４３３６４号に記載されている。第ＷＯ０１４３３６４号によれば、移動受信装置は、測位システム（ＧＰＳ）、放送受信機および無線送信機が備えられ、ユーザの指示があると、現在の位置、現在の設定受信周波数、ならびに時間およびユーザ・データを、無線で制御センタに送信する。制御センタは、受信されたデータに従って情報内容を決定し、インターネットを介してアクセス可能なデータベース内でユーザがこれを使用できるようにする。しかし、このシステムは、位置特定の情報内容を提供するには、移動受信装置から制御センタへの通信のためにバックチャネルが設けられなければならないという欠点を有する。
【０００４】
放送システムは通常、たとえば数百〜数千の平方キロメートルのサービス・エリアを有する、非常に大規模なシステムである。放送システムの事業者（放送事業者）にとって、少数の送信機を用いてできるだけ多くの聴取者に接触することは、経済的に重要である。もう一方では、位置特定サービスはしばしば、指定されたサービス・エリア内でたとえば１から１０メートルの直径を有する小規模から非常に小規模のエリア内でだけ適しており、または必要である。しかし、位置特定サービスの提供、および放送システムによる位置特定情報の転送のための知られているシステムおよび方法は一般に、しばしば非常に大きいそのサービス・エリアが、サービス特定のかつ／または地理的な要件および／または条件に対して十分柔軟には適応され得ないという欠点を有する。
【特許文献１】国際出願第ＷＯ０１／４３３６４号
【特許文献２】国際出願第ＷＯ０１／６７７６１号
【特許文献３】国際出願第ＷＯ０１／６７７６２号
【発明の開示】
【発明が解決しようとする課題】
【０００５】
本発明の一目的は、知られているシステムの欠点をもたない、放送ユニットの位置特定サービスを実施するための方法、放送ユニットおよび移動受信装置を提案することである。本発明の一目的は、具体的には、サービス特定のかつ／または地理的な要件および／または条件に対して柔軟的に適応され得る、放送ユニットの位置特定サービス用のセルを設定するための方法、および関連する適切な装置を提案することである。
【課題を解決するための手段】
【０００６】
本発明によれば、これらの目的は、具体的には、独立クレームの要素によって達成される。さらなる有利な設計の形がさらに、従属クレームおよび説明に示されている。
【０００７】
上記の目的は、本発明によって、具体的には、放送ユニットの位置特定サービスを実施するために位置特定サービス用のセルが設定され、地域セル・エリアを定義するセル・データが放送ユニットによって移動受信装置に転送され、セル・データが移動受信装置内に格納されるという点で達成される。サービスされるターゲット・エリアに対応するセル・エリアは、たとえば中心データおよび半径によって定義される。ある設計変形体では、セル・データは、複数の地域セル・エリアのクラスタを定義し、それによって具体的には、相互接続されたエリアのより複雑な形が定義されることができる。移動受信装置の現在の位置は、移動受信装置内で決定され、セル・エリア内の移動受信装置の現在の位置は、現在位置に基づいて移動受信装置によって決定される。これは、移動受信装置が、セル・データによって定義されたセル・エリア内に位置するかどうかが、移動受信装置内で、移動受信装置の現在位置に基づいて判断されることを意味する。セル・エリア内の移動受信装置の存在が肯定的に判断される場合には、セル・データに割り当てられたサービスが、移動受信装置内で実施される。これは、セル・データによって定義されたセル・エリア内に移動受信装置が位置するときに移動受信装置によって実施されるサービスが、セル・データ内に含まれ、またはセル・データに割り当てられたさらなるデータ要素に基づいて定義されることを意味する。放送ユニットのサービス・エリア内の多数の移動受信装置内の放送ユニットによる位置特定サービスためのセルを設定することによって、サービス・エリアは、必要性および地理的かつ／またはサービス特定のパラメータに従って動的かつ最適なやり方で、より小さい対話型の仮想の（サービス）セルおよびセル・クラスタに分割されることができる。このタイプのセルは、位置特定サービス用の放送サービス・セル、またはＢＬＢＳ（Ｂｒｏａｄｃａｓｔ  Ｌｏｃａｔｉｏｎ  Ｂａｓｅｄ  Ｓｅｒｖｉｃｅｓ：放送位置ベース・サービス）セルと呼ばれることがある。ここでは、たとえば定義された時間パターンに従って動的に変化するそれぞれ異なるアプリケーションおよびサービスについて部分的にまたは完全に重複する複数のセル・エリアを指定することが可能である。セル・エリアは、たとえば数メータの直径を有する非常に小さいものと定義されることができる。セル・エリアは、建物内でさえ定義されることができる。さらに、セル・エリアは、放送ユニット（送信機）のサービス・エリアの外に位置することがあり、その結果、移動受信装置は、送信機の受信エリア内でセル・データを受信し格納し、後に、そのセル・データによって定義されたセル・エリア内に到着したときにだけ、それに応じて応答する。たとえば、第１の日に第１の都市で、このタイプの移動受信機は、第２の都市のセル・エリアに関するセル・データを受信し、翌日に、第２の都市内の対応するセル・エリア内でだけ、それに応じて応答することができる。
【０００８】
位置特定サービスは好ましくは、放送ユニットから移動受信装置へのデータ転送を含む。セル・エリア内の移動受信ユニットの存在が肯定的に判断される場合には、セル・データに割り当てられた、受信されたデータが、移動受信装置内で受け付けられ、処理される。アプリケーションおよび／または設計変形体に応じて、セル・データおよびユーザ・データは、放送ユニットから移動受信装置に、一緒にまたは別々に転送される。好ましい後者の場合では、セル・データは、セル識別を含み、放送ユニットは、セル・データとは別に、ユーザ・データをセル識別と共に移動受信装置に転送する。移動受信装置は、セル識別に基づいて、受信されたユーザ・データを、格納されたセル・データに割り当てる。移動受信装置は、セル・データによって定義されたセル・エリアに位置する場合は、受信されたユーザ・データをさらなる処理のために受け付ける。そうでない場合は、受信されたデータは、削除されまたは廃棄される。この好ましい設計変形体は、放送ユニットから移動受信装置にデータを転送するための方法を可能にし、この方法では、地域セル・エリアを定義するセル・データが放送ユニットによって移動受信装置に転送され；セル・データが移動受信装置内に格納され、移動受信装置の現在位置が決定され；セル・エリア内の移動受信装置の現在の存在が移動受信装置によって現在位置に基づいて決定され；セル・エリアの移動受信装置の存在が肯定的に判断される場合には、セル・データに割り当てられた受信されたデータが、移動受信装置内で受け付けられ、処理される。たとえば、道路状況に関する情報が、高速道路に沿ったセル・クラスタ内に、またはアラームが、化学的な事故が発生したエリア内に転送されることができる。
【０００９】
ある設計変更態様では、セル・データは、指示（実行コマンド）を含む。指示は、セル・データに割り当てられたさらなる指示特定サービスを開始し実施する働きをする。セル・エリア内の移動受信装置の存在が肯定的に判断される場合には、指示が、移動受信装置内で実行される。受信装置はさらに、関係する送信機が使用できない状態にあっても、セル・データが以前に格納されているので、指示を実行することができる。
【００１０】
さらなる設計変更態様では、セル・データは、セル・タイプを含む。セル・データに割り当てられた、受信されたデータはさらに、セル・タイプに応じて移動受信装置内で処理される。これは、受信されたデータが割り当てられたセル・データによって定義されたセル・エリア内に移動受信装置が位置する場合には、受信されたデータが、これらのセル・データのセル・タイプに従ってさらに処理されることを意味する。セル・タイプは、たとえば、アラームについてのアラーム・タイプ、それぞれ異なるカテゴリの情報データについての情報タイプ、実行可能なアプリケーションについてのアプリケーション・タイプ、および／またはハイパーリンクについてのリンク・タイプを含む。セル・タイプは、意図された用途、すなわちサービス・タイプおよび／またはデータ・タイプを定義し、ある設計変形体では、上記の指示を（も）含む。これは、セルがそれぞれの場合において、意図された用途に対応するセル・タイプを有し、その指定に加えて、実行コマンド（指示）をも含みまたは定義することを意味する。たとえば、受信装置のアラーム・タイプ・パラメータ（緊急通報、緊急９１１）であり、この受信装置がセル・エリア内に位置する場合には、対応する実行コマンド（「アラーム」）は、通常自動的に実行される。このタイプのアラーム・セルは、たとえば許可された人のためだけに、たとえば当局に提供され、ユーザによって通常、非アクティブ化（選択解除）されることができない（以下の節を参照）。情報タイプ・パラメータは好ましくは、複数のカテゴリ（サブタイプ）に分割され、対応するカテゴリの情報を受信したいと望んでおり、また関係のあるセル・エリア内に位置しているユーザのための、目標とされた情報として働く。アプリケーション・タイプのパラメータは、このセル・タイプが選択されており、また関係するセル・エリア内に位置する移動受信装置に、実行可能なプログラム・シーケンス（プログラム・モジュール）を転送するために使用される。リンク・タイプ・パラメータは、実行可能またはアクセス可能ハイパーリンクを移動受信装置に転送するために使用される。ハイパーリンクは、たとえば、関係するセル・タイプがアクティブ化され、またその関係するセル・エリア内に受信装置が位置する場合に、受信直後にアクティブ化される。
【００１１】
ある設計変更態様では、移動受信装置は、セル・タイプ選択のためのユーザからの選択コマンドを受け付ける。選択されたセル・タイプを有するセル・エリア内の移動受信装置の存在が肯定的に判断される場合には、セル・データに割り当てられたサービスは、移動受信装置内で実施される。これは、移動受信装置が、セル・データによって定義されたセル・エリア内に位置する場合、およびユーザによって選択されたセル・タイプをセル・データが有する場合には、セル・データに割り当てられたサービスが移動受信装置内で実施されることを意味する。たとえば、選択されたセル・タイプを有するセル・データに割り当てられた、受信されたデータは、これらのセル・データによって定義されたセル・エリア内に移動受信装置が位置する場合には、さらなる処理のために移動受信装置によって受け付けられる。
【００１２】
ある設計変更態様では、セル・データは、３次元の地域セル・エリアを定義する。対応するやり方で、移動受信装置の現在の３次元位置が決定され、移動受信装置の現在の存在は、現在の３次元位置に基づいて、３次元地域セル・エリア内で決定される。空間セル・エリアはこのように定義されることができ、したがって、定義可能なレベルが、高い（高層）建物内のセル・エリアとして空間的に定義されることができる。
【００１３】
さらなる設計変更態様では、セル・データは、地域セル・エリアの時間的な有効性を定義する有効性データを含む。有効性データは、たとえば、セル・エリアの即時のアクティブ化（セルの提供）のための開始指示、セル・エリアの即時の非アクティブ化（セルの非アクティブ化）のための停止指示、時間窓（セルの寿命）の定義のための停止時間値を伴う開始時間、および／または時間窓の定義のための継続時間を伴う開始時間値を含む。
【００１４】
放送ユニットの位置特定サービスを実施するための方法、この目的に適した放送ユニット、およびこの目的に適した移動受信装置と共に、本発明はさらに、移動受信装置が、地域セル・エリアを定義しており、また放送ユニットによって送信されるセル・データを受信し格納し、セル・エリア内の移動受信装置の現在の存在を現在位置に基づいて決定し、セル・エリア内の移動受信装置の存在が肯定的に判断される場合には、セル・データに割り当てられたサービスを実施するように、移動受信装置の１つまたは複数のプロセッサを制御するコンピュータ・プログラム・コード手段を備えたコンピュータ・プログラム製品に関する。このコンピュータ・プログラム製品は具体的には、コンピュータ・プログラム・コード手段が格納されたコンピュータ読取り可能媒体を含む。このコンピュータ・プログラム製品は、位置定義手段を有する標準の移動受信装置を、仮想放送サービス・セル内の位置特定サービスの実施に使用できるようにするという利点をもたらす。
本発明の設計について、一例を参照して以下に述べられる。この設計の例は、以下の添付の図によって示される。
【発明を実施するための最良の形態】
【００１５】
図１で、参照番号３は、放送システム６（放送装置）、および具体的には移動受信装置１にデータを無線転送するための放送送信機４（放送送信器）とを備えた放送ユニットを指定している。参照番号４６は、たとえば通信接続および／または送信機フィーダを介した、放送システム６と放送送信機４の接続に言及している。図１に概略的に示されるように、放送ユニット３は、セル決定モジュール６１を含み、このセル決定モジュール６１は好ましくは、放送ユニット３のコンピュータを制御するためのプログラムされたソフトウェア・モジュールとして設計され、この放送ユニット３の機能については、以下で述べられる。放送ユニット３は、たとえば、ＤＡＢ（Ｄｉｇｉｔａｌ  Ａｕｄｉｏ  Ｂｒｏａｄｃａｓｔｉｎｇ：デジタルオーディオ放送）、ＤＭＢ（Ｄｉｇｉｔａｌ  Ｍｕｌｔｉｍｅｄｉａ  Ｂｒｏａｄｃａｓｔｉｎｇ：デジタル・マルチメディア放送）、ＤＶＢ（Ｄｉｇｉｔａｌ  Ｖｉｄｅｏ  Ｂｒｏａｄｃａｓｔｉｎｇ：デジタル・ビデオ放送）および／またはＤＶＢ−Ｈ（Ｄｉｇｉｔａｌ  Ｖｉｄｅｏ  Ｂｒｏａｄｃａｓｔｉｎｇ−Ｈａｎｄｈｅｌｄ：デジタル・ビデオ放送−携帯機器）を介した放送ベースのデータ転送のために設定される。従来の一方向の放送システムと共に、双方向通信システムが、放送ベースのデータ転送のために使用されることもできる。したがって、たとえば、放送ユニット４は、具体的にはより小さいサービス・エリアのために、たとえばＷＬＡＮ（Ｗｉｒｅｌｅｓｓ  Ｌｏｃａｌ  Ａｒｅａ  Ｎｅｔｗｏｒｋ：無線ローカル・エリア・ネットワーク、たとえば８０２．１１  ＩＥＥＥ規格による）を介した放送ベースのデータ転送のために設定され、それによって、ＷＬＡＮは、放送チャネルと同じ周波数帯域、または異なる周波数帯域内に、受信装置１から放送ユニット３またはコンテンツ配信システム７（コンテンツ・プロバイダ）へのデータ通信のためのバックチャネルを有する。コンテンツ配信システム７は、通信回線６７を介して放送ユニット３に接続される。ＷＬＡＮと共に、具体的には接続ＵＭＡ（Ｕｎｌｉｃｅｎｓｅｄ  Ｍｏｂｉｌｅ  Ａｃｃｅｓｓ：無免許モバイル・アクセス、Ｂｌｕｅｔｏｏｔｈ）に関連する放送ベースのデータ転送、たとえばＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）に適したさらなる通信システムが、有利である（経済的かつ柔軟である）。図１は、一方向の矢印４１によるブロードキャスト送信のデータおよびメディア・コンテンツのブロードキャスト・ベースのデータ転送を示している。
【００１６】
移動受信装置１は、双方向通信端末装置、または単に一方向の受信装置である。移動受信装置１は、放送ユニット３からブロードキャスト送信４１を受信するように設定された通信モジュール１０を含む。ある設計変形体では、通信モジュール１０はさらに、コンテンツ配信システム７および／または放送システム６にメッセージを返すため、エア・インターフェース８、および移動無線ネットワーク９を介して通信接続７９を確立するように設定される。移動無線ネットワーク９は、たとえば、ＧＳＭネットワーク（Ｇｌｏｂａｌ  Ｓｙｓｔｅｍ  ｆｏｒ  Ｍｏｂｉｌｅ  Ｃｏｍｍｕｎｉｃａｔｉｏｎ：移動通信用グローバル・システム）、ＵＭＴＳネットワーク（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ユニバーサル移動通信システム）、あるいは異なる、たとえば衛星ベースの移動無線ネットワーク、ＷＬＡＮ、ＯＦＤＭベースのネットワークまたはＢｌｕｅｔｏｏｔｈセルを含む。設計変形体に応じて、移動受信装置１は、たとえば携帯電話、ＰＤＡコンピュータ（Ｐｅｒｓｏｎａｌ  Ｄｉｇｉｔａｌ  Ａｓｓｉｓｔａｎｔ：携帯情報端末）、ノートブックまたはラップトップ・コンピュータ、あるいは無線またはテレビ受信機として設計される。ディスプレイ１７および入力要素１８（キーパッド、ジョイスティックなど）に加えて、移動受信装置１は、複数の機能モジュール、すなわち制御モジュール１１と、セル決定モジュール１２と、位置決定モジュール１３と、存在決定モジュール１４と、サービス・モジュール１５と、選択モジュール１６とを含む。
【００１７】
位置決定モジュール１３は、たとえばＧＰＳ、ガリレオまたは地上ロケーション・システム、たとえばＥ−ＯＴＤなどのネットワークベースのロケーション・システムによって移動受信装置１の現在の（ローカル、地理的）位置を決定するように設定される。ある変形体では、位置決定モジュール１３は、非常に小さい地域セル・エリアが建物内で決定され得るように、たとえばＧｌｏｂａｌ  Ｌｏｃａｔｅ  Ｉｎｃ社からのＡ−ＧＰＳ（Ａｓｓｉｓｔａｎｔ  Ｇｌｏｂａｌ  Ｐｏｓｉｔｉｏｎｉｎｇ  Ｓｙｓｔｅｍ：補助全地球測位システム）によって、建物内でさえ現在位置を決定するように設定される（屋内ＧＰＳ）。位置は、移動無線ネットワークからの情報に基づいて決定されることもできる。ある変形体では、位置決定モジュール１３はさらに、たとえば高度測定モジュールによって、移動受信装置１の現在の高度、およびしたがって現在の３次元位置を決定するように設定される。高度測定モジュールは、たとえばＧＰＳを介して高度を決定するように設定される。
【００１８】
その機能性については図２を参照して述べられる、残りの機能モジュールは好ましくは、移動受信装置１に永続的にまたは分離可能に接続されたコンピュータ・プログラム製品内のプログラムされたソフトウェア・モジュールとして設計される。
【００１９】
移動受信装置１は好ましくは、たとえば、ＥＣＭ（Ｅｎｔｉｔｌｅｍｅｎｔ  Ｃｈｅｃｋｉｎｇ  Ｍｅｓｓａｇｅ：権利チェック・メッセージ）、ＥＭＭ（Ｅｎｔｉｔｌｅｍｅｎｔ  Ｍａｎａｇｅｍｅｎｔ  Ｍｅｓｓａｇｅ：権利管理メッセージ）、およびＣＷ（Ｃｏｎｔｒｏｌ  Ｗｏｒｄ：制御ワード）を組み込む条件付きアクセス方法に基づいて、サービスを課金するための課金モジュールをも含む。特許出願第ＷＯ  ０１／６７７６１号および第ＷＯ  ０１／６７７６２号に記載されるように、条件付きアクセス・プロセスが組み込まれることもできる。
【００２０】
図１で、参照番号２は、放送ユニット３によってカバーされる拡張サービス・エリアを指している。図１に示されるように、たとえば道路２１は、サービス・エリア２を通過している。移動受信装置１の現在位置は、サービス・エリア２内に、参照番号２５で指定されている。参考番号２２、２３および２４は、それぞれ異なる２次元および／または３次元のローカルまたは空間セル・エリア（面積、たとえば円、および／または体積、たとえば球体）を有する異なるセルを指定しており、このセル・エリアは、たとえばセル中心、セル半径および／または他のセル・エリア・データ（座標、サイズ・データ、位置、あるいは面積指定、サイズおよび／または形データ）によって定義される。複数のセルは、たとえばクラスタを形成し、および個々のセル・エリアが、このために、たとえばクラスタ識別よってセル・クラスタに割り当てられる。図１で、それぞれ異なる線タイプは、非アクティブ・セル２２、アクティブ・セル２３、および準備中のセル２４を指定している。
【００２１】
個々のセル２２、２３、２４は、セル・エリアだけでなくセル・タイプをも定義するセル・データによって示される。序文で既に述べられたように、セル・タイプの例には、アラーム・タイプ、情報タイプ、アプリケーション・タイプおよび／またはリンク・タイプが含まれる。セル・タイプは、セルの意図された用途、たとえば位置特定サービスのサービス・タイプおよび／または位置特定情報のデータ・タイプを定義する。セル・タイプ内に含まれるセル・タイプの一部として、または別個のデータ要素として、セル・データは好ましくは、指示または実行指示をも含む。セル・データは、たとえば、関連するセルまたは関連するセル・エリアの時間的有効性を定義する有効性データをも含む。設計変形体に応じて、セル・データは、セル識別、たとえばコード、数または名前をも含む。ある設計変形体では、セル・タイプおよび／または指示は、論理データとして他のセルとは別に設計され、たとえばセル識別を介してセル・データに割り当てられる。
【００２２】
ブロードキャスト送信４１のデータおよびメディア・コンテンツは、コンテンツ配信システム７、あるいは放送システム６に備えられる。コンテンツ・プロバイダは好ましくは、送信される情報（たとえばアラーム）を位置パラメータ、たとえば２次元（面積）または３次元（体積）ＢＬＢＳセルと組み合わせる。セル・データは、放送システム６内でおよび／またはコンテンツ配信システム７内で生成される。必要ならば分離した論理データは、放送システム６、コンテンツ配信システム７、および／または特定の論理配信システム内で生成される。ある設計変形体では、コンテンツ配信システム７は、この目的のために、セル決定モジュール６１に対応するセル決定モジュール７１を含む。セル２２、２３、２４およびそれらのセル・エリアの動的な定義のために、セル・データ、および必要ならば分離された論理データが、放送送信機４を介してセル決定モジュール６１から送信される。セル・データの少なくとも一部が関連するユーザ・データが、対応するセル・データと一緒に放送ユニット３から、またはセル・データと別にセル識別を介して送信される。
【００２３】
選択モジュール１６は、ユーザのためにディスプレイ１７上に使用可能なまたは加入されたセル・タイプをリストし、入力要素１８を介してユーザからこれらのセル・タイプの選択または選択解除の指示を受け付けるように設定される。これは、多数のセル・タイプが使用可能であり、またユーザが、選択全体がアクティブ化されることを望んでいない場合に特に適している。特定のセル・タイプ、具体的にはアラーム・タイプは好ましくは、ユーザによって選択解除することができず、その結果、情報、たとえばアラーム情報は実際に、緊急の場合には目標エリア内のすべてのユーザに送信されることができる。
【００２４】
工程Ｓ０で、ユーザは、その移動受信装置１と共に、放送ユニット３のサービス・エリア２内に移動する。
【００２５】
工程Ｓ１で、移動受信装置１は、放送ユニット３によって送信されるデータ、たとえばブロードキャスト送信４１内に埋め込まれた、たとえばプログラム添付データを受信する。
【００２６】
工程Ｓ２で、制御モジュール１１は、工程Ｓ１で受信されたデータがセル・データを含むかどうか判断する。セル・データが受信されていない場合は、制御モジュールは、工程Ｓ３で継続し、そうでない場合は、工程Ｓ３で継続する。
【００２７】
工程Ｓ３で、制御モジュール１１は、（たとえばローカル・セル・タイプ・テーブル内で）受信されたセル・データのセル・タイプが移動受信装置１内でユーザによって選択されているかどうか判断する。受信されたセル・データのセル・タイプが選択されていない場合は、制御モジュールは、工程Ｓ１２で継続し、そうでない場合は、工程Ｓ４で継続する。
【００２８】
工程Ｓ４で、セル決定モジュール１２は、受信されたセル・データを受け付け、移動受信装置１内にそれを格納する。
【００２９】
工程Ｓ５で、制御モジュール１１は、工程Ｓ１で受信されたデータが、移動受信装置１に保存されており、またユーザによって選択されたセル・タイプを有する既存のセル・データに既に割り当てられているかどうかチェックする。受信されたデータが、選択されたセル・タイプを有するどのセル・データにも割り当てられていない場合は、制御モジュールは、工程Ｓ１２で継続し、そうでない場合は、工程Ｓ６で継続する。
【００３０】
工程Ｓ６で、制御モジュール１１は、工程Ｓ４で保存され、または工程Ｓ５で割り当てられたセル・データによって定義されたセルまたはセル・エリアがアクティブ（有効）かどうかチェックする。これは、関連したセル・データの有効性データが、現在時間を含む時間窓を定義しているかどうか、あるいは工程Ｓ４で格納されたセル・データが、関連したセル・エリアの即時アクティブ化のための開始指示を有しているかどうかを制御モジュール１１がチェックすることを意味する。現在の時間は、たとえばＧＰＳ信号から導出され得る。セル・データまたはセル・エリアがアクティブな場合は、制御モジュール１１は、工程Ｓ７で継続し、そうでない場合は、工程Ｓ１２で継続する。
【００３１】
工程Ｓ７で、位置決定モジュール１３は、移動受信装置１の現在の２次元または３次元位置を決定する。
【００３２】
工程Ｓ８で、存在決定モジュール１４は、Ｓ７で決定された現在位置が、工程Ｓ４で格納され、またはステップＳ５で割り当てられたセル・データによって定義されたセル・エリア内に位置するかどうか判断する。これは、存在決定モジュール１４が、関連したセル・エリア内の移動受信装置１の現在の存在を決定することを意味する。たとえば、存在決定モジュール１４は、移動受信装置１の現在位置が、セル・データによって定義されたエリアまたは球体内に位置するかどうか判断する。関連したセル・エリア内の移動受信装置１の存在が肯定的に判断される場合には、すなわち、移動受信装置１が、関連したセル・エリア内に位置する場合には、制御モジュール１１は、工程Ｓ９で継続し、そうでない場合は、工程Ｓ１２で継続する。
【００３３】
工程Ｓ９で、サービス・モジュール１５は、工程Ｓ４で格納され、または工程Ｓ５で割り当てられたセル・データによって定義された位置特定サービスを実施する。位置特定サービスを実施するために、上記のセル・データ、および必要ならばセル・データに割り当てられたさらなるユーザ・データが使用され、このユーザ・データはたとえば、工程Ｓ１でセル・データと一緒に受信されており、あるいは工程Ｓ１で別個に受信されており、また工程Ｓ５で、格納されたセル・データに割り当てられている。サービス・モジュール１５は、論理データに基づいて行われるサービスを決定し、この論理データは、セル・タイプおよび／または割り当てられた指示を含んでおり、またセル・データの一部として受信され、またはセル・データに別個に割り当てられている。アラーム、たとえば情報および情報カテゴリ（サブタイプ）のためのセル・タイプ／指示の場合には、割り当てられたアラーム情報、または分類された他の情報（格納されたデータ、またはセル・データと一緒に送信されたデータ）は、たとえば視覚的かつ／または可聴に、ユーザに直接再生される。アプリケーションまたはリンクのためのセル・タイプ／指示の場合には、割り当てられた実行可能プログラム・シーケンス、プログラム・ファイル（アプレット）、アプリケーション（格納されたデータ、またはセル・データと一緒に送信されたデータ）は、移動受信装置１上で実行され、あるいは（格納されまたは共に送信された）割り当てられたリンクがアクセスされる。位置依存型のアプリケーションは、たとえば実行可能またはマルチメディア・ファイル（たとえば、「条件付きアクセス」に従って条件付きでのみ使用可能である）を含み、このファイルは、たとえば、さらなるデータが移動受信装置１内にロードされ得るように通信ネットワーク９を介して接続を設定するためにリンクによってさらにネットワーク化される。位置依存リンクは、たとえば、有料情報の情報を参照する。
【００３４】
工程Ｓ１０で、制御モジュール１１は、関連したセルが非アクティブ化される必要があるかどうか、すなわち工程Ｓ４で格納されたセル・データが、セル・エリアの即時の非アクティブ化のための停止指示を含むかどうか、あるいは工程Ｓ５で割り当てられたセル・データが、期限切れとなった時間窓を有する有効性情報を含むかどうかチェックする。関連したセルが非アクティブ化される必要がある場合は、制御モジュール１１は、工程Ｓ１１で継続し、そうでない場合は、工程Ｓ１２で継続する。
【００３５】
工程Ｓ１１では、制御モジュール１１は、たとえば移動受信装置１内の対応するセル・データを削除することにより、関連したセルを非アクティブ化する。
【００３６】
工程Ｓ１２で、制御モジュール１１は、サービス・エリア２内の受信されたブロードキャスト・データを処理するためのサイクルを終了し、工程Ｓ１で、放送ユニット３から新しいデータを受信する。
【００３７】
ある設計変更態様では、ユーザは、隣接セル２２、２３、２４内の使用可能なサービスに関する情報をディスプレイ１７上に表示するために制御モジュール１１を使用することができる。オプションの工程Ｓ８’で、制御モジュール１１は、このために、たとえば現在の位置２５の特定の半径内に制限された、たとえば移動端末装置１の現在位置２５の近くのセル・エリアのためのセル・データを格納する。
【００３８】
最後に、以下の応用例が引用される：化学的事故が生じた場合のアラーム送信のために大規模な化学工業が存在する場所で；位置および時間に依存した情報の動的な目標とされた配信のために観光地で；階特定および／または部屋特定の目標とされた情報転送のために大規模な建物群（たとえば、駅や空港などの公共の建物）で、あるいは包括的報道を提供する大きい放送エリア内の目標とされた情報配信のために、小さい場所または部屋を伴う他の敷地、たとえば美術館、展覧会において、道路状況に関する情報を提供するためにハイウェイ（道路２１）に沿った仮想サービス・セルまたはセル・クラスタが定義される。
【図面の簡単な説明】
【００３９】
【図１】移動受信装置への無線データ転送用の放送ユニットを含む、位置特定サービスを実施するためのシステムを概略的に示すブロック図である。
【図２】位置特定サービスを実施するための工程シーケンスの一例を示すフローチャートである。
【図１】
2008538171.tif 000003
【図２】
2008538171.tif 000004
【国際調査報告】
2008538171.tif 000005
2008538171.tif 000006
2008538171.tif 000007
2008538171.tif 000008
2008538171.tif 000009
2008538171.tif 000010